(57)【要約】【課題】ＣＣＤ素子の放熱作用を効果的になすことができる放熱装置を提供する。【解決手段】回路基板に接合される電極を有し、表面に受光部が形成されたＣＣＤ素子に装着される放熱装置であって、ＣＣＤ素子の対向する側面を把持する把持片を少なくとも一対以上有した放熱板を備えている。【選択図】図１
2006041414.tif 000002
【特許請求の範囲】
【請求項１】
回路基板に接合される電極を有し、表面に受光部が形成されたＣＣＤ素子に装着される放熱装置であって、
ＣＣＤ素子の対向する側面を把持する把持片を少なくとも一対以上有した放熱板を備えている放熱装置。
【請求項２】
請求項１において、
上記放熱板は、光を通過させる光通過口が形成されており、上記ＣＣＤ素子の受光部がこの光通過口から外部に露出するように上記ＣＣＤ素子に被せて装着され、上記把持片によって、上記ＣＣＤ素子の側面を上記ＣＣＤ素子の表面側から把持する構造にしている放熱装置。
【請求項３】
請求項１において、
上記放熱板は、上記ＣＣＤ素子を表面に実装した回路基板の裏面側に装着され、上記把持片によって、上記ＣＣＤ素子の側面を上記ＣＣＤ素子の裏面側から把持する構造にしている放熱装置。
【請求項４】
請求項１〜３のいずれかにおいて、
上記把持片は、上記放熱板の一部を同一方向に向くように曲げ加工して、形成されていることを特徴とする放熱装置。
【発明の詳細な説明】
【技術分野】
【０００１】
本発明は、ファクシミリ装置などの画像処理装置において、ＣＣＤ素子の放熱作用をなす放熱装置の改良に関する。
【背景技術】
【０００２】
従来より、ファクシミリ装置などの画像処理装置においては、ＣＣＤ素子の放熱作用をなす放熱装置が広く組み込まれている。放熱装置を設けるのは、ＣＣＤ素子が発熱すると熱雑音が生じてしまい、ＣＣＤ素子から送出される画像信号のＳ／Ｎ比が低下するといった問題があるからである。
【０００３】
このような放熱装置として、従来から使用されているものとしては、例えば、下記特許文献１に示すようなものがあり、このものは、ＣＣＤ素子を実装した回路基板の裏面に放熱板が取り付けられた構成とすることにより、ＣＣＤ素子の放熱作用をなすようにしている。
【特許文献１】特開２００２−１７１３８７号公報
【発明の開示】
【発明が解決しようとする課題】
【０００４】
しかしながら、このような放熱装置では、ＣＣＤ素子は板バネにより回路基板に固定した構造としているので、放熱量には自ずと限界がある。本発明は、このような事情を考慮してなされたものであり、ＣＣＤ素子の放熱作用を効果的になすことができ、更に、板ばねを不要にして部品点数を削減できる放熱装置を提供することを目的とする。
【課題を解決するための手段】
【０００５】
上記目的を達成するために提案される請求項１では、回路基板に接合される電極を有し、表面に受光部が形成されたＣＣＤ素子に装着される放熱装置であって、ＣＣＤ素子の対向する側面を把持する把持片を少なくとも一対以上有した放熱板を備えている。
【０００６】
請求項２では、放熱板は、光を通過させる光通過口が形成されており、ＣＣＤ素子の受光部がこの光通過口から外部に露出するようにＣＣＤ素子に被せて装着され、把持片によって、ＣＣＤ素子の側面を上記ＣＣＤ素子の表面側から把持する構造にしている。
【０００７】
請求項３では、放熱板は、ＣＣＤ素子を表面に実装した回路基板の裏面側に装着され、把持片によって、ＣＣＤ素子の側面をＣＣＤ素子の裏面側から把持する構造にしている。
【０００８】
請求項４では、把持片は、放熱板の一部を同一方向に向くように曲げ加工して、形成されていることを特徴とする。
【発明の効果】
【０００９】
本発明によれば、請求項１〜４では、ＣＣＤ素子の対向する側面を把持する把持片を少なくとも一対以上有した放熱板を備えているので、ＣＣＤ素子の側面には、放熱板の把持片が把持された状態となるので、ＣＣＤ素子より生じる熱が、直接、放熱板に伝導され、効率的な放熱効果を奏することができる。したがって、ＣＣＤ素子からの画像信号のＳ／Ｎ比を向上させることができる。
【００１０】
また、板ばねが不要となり、部品点数の削減ができる。
【００１１】
更に、請求項４では、把持片は、放熱板の一部を同一方向に向くように曲げ加工して、形成されているので、放熱板を一体成形により構成することができ、制作が容易である。
【発明を実施するための最良の形態】
【００１２】
以下に、本発明の実施の形態について説明する。
【実施例１】
【００１３】
図１は、本発明の放熱装置の要部構成の一例を示す図である。この放熱装置Ａは、ファクシミリ装置などの画像読取装置に組み込まれるものであり、回路基板３の挿通孔３０・・・に、ＣＣＤ素子２の電極２０・・・を挿通させ、回路基板３の裏面で電極２０をはんだ付けをして、パッケージに封止されたＣＣＤ素子２を回路基板３に固定し、そのＣＣＤ素子２に放熱板１を装着する。
【００１４】
また、放熱板１は、ＣＣＤ素子２を取り付けた回路基板３に対し、ＣＣＤ素子２の受光部２１側より取り付ける構造をしている、回路基板３に放熱板１を取り付けた状態で、ねじ４を、各々のねじ孔１１，３１に挿通させ、これを、放熱装置Ａとして、画像読取装置のスキャナフレーム（不図示）に固定させる。
【００１５】
そして、放熱板１には、放熱板１の制作過程で、放熱板１の一部を同一方向を向くように曲げ加工することにより一体成形された把持片１０ａ、１０ｂが設けられており、放熱板１を回路基板３に取り付けると、把持片１０ａ，１０ｂがＣＣＤ素子のパッケージ２の対向する側面２２ａ，２２ｂを把持することとなる。
【００１６】
更に、放熱板１には、光、つまり、原稿読み取り過程で原稿面で反射された光を通過させる光通過口１２が形成されている。先述したように、放熱板１は、ＣＣＤ素子のパッケージ２の受光部２１側より取り付けられるため、原稿面で反射された光が光通過口１２を通じて受光部２１に到達する。これにより、原稿面で反射された光が放熱板１で遮断されずに、受光部２１に到達するため、原稿の画像データを読み取るのに障害がない。
【００１７】
更に、回路基板３のねじ孔３１は、放熱板１のねじ孔１１と比較して、その口径が大きく構成されている。これにより、放熱装置Ａをスキャナフレームに固定させる際、回路基板３のスキャナフレームに対する位置決めを容易に行うことができる。
【００１８】
次に、放熱装置の別例を以下に示す。
【００１９】
この放熱装置１Ａ（図２参照）では、ＣＣＤ素子２の表面に実装した回路基板２の裏面側から放熱板１を取り付けるように構成されている。ＣＣＤ素子２の電極２０は回路基板３の挿通孔３０に挿通させており、放熱板１の光透過口１２には、電極２０が貫通した構成となっている。
【００２０】
そして、把持片１０，１０は、放熱板１と一体成形により構成されており、放熱板１の光透過口１２の対向する側面より、同一方向を向くように曲げ加工されている。この把持片１０，１０で、ＣＣＤ素子２の対向する側面を把持することとなる。
【００２１】
この装置１Ａでは、装置１の効果を奏する他、ＣＣＤ素子２の電極が、放熱板１に接触しない。電極２０が光透過口１２より貫通しているからである。
【００２２】
なお、本発明の放熱装置では、放熱板１に、放熱フィンを設けるようにしてもよい。
【図面の簡単な説明】
【００２３】
【図１】本発明の要部構成の一例を示す図
【図２】本発明の要部構成の他例を示す図
【符号の説明】
【００２４】
１，１Ａ  放熱装置
１  放熱板
２  ＣＣＤ素子
３  回路基板
１０  把持片
１２  光透過口
２０  電極
２１  受光部
【図１】
2006041414.tif 000003
【図２】
2006041414.tif 000004